(57)【要約】【課題】データを停止させることなく出力する再生装置を提供する。【解決手段】ネットワーク接続部１１０からデータを取得し順次データ受信用バッファ１２０に格納する。データの取得時の通信回線における転送レートｖｒを通信回線監視部１４１にて検出する。再生速度制御部１４２にて、受信用バッファ容量Ｂｒを読み取り、所定の閾値Ｂｕを下回ると、出力手段でデータを再生させる標準再生速度より遅い速度で再生する状態となる再生レートｖ０を設定する。受信用バッファ容量Ｂｒが少なくなるにしたがって再生レートｖ０を遅くする。再生レートｖ０でデータを処理手段１３０へ出力させる。処理手段１３０でストリームデータを取り出し、適宜デコード処理して再生用データとして出力手段へ出力し、再生させる。【選択図】  図１
2004354677.tif 000002
【特許請求の範囲】
【請求項１】
情報を取得する情報取得手段と、
この情報取得手段にて取得した前記情報を一時的に記憶するとともにこの記憶する順番で前記情報を順次出力する記憶手段と、
この記憶手段に記憶された前記情報を出力可能に順次処理する処理手段と、
この処理手段で前記記憶手段に記憶された情報を出力可能に順次処理させる制御をするとともに、前記記憶手段に記憶された情報量が所定量以下となると、前記記憶されている前記情報を出力手段で出力させる標準速度より遅い速度で出力させる状態に前記処理手段で処理させる制御をする制御手段と、
を具備したことを特徴とした情報処理装置。
【請求項２】
請求項１に記載の情報処理装置であって、
前記制御手段は、前記記憶手段に記憶された情報量が所定量以下となると前記情報量が少なくなるにしたがってより遅い速度で出力させる状態に前記処理手段で処理させる制御をする
ことを特徴とした情報処理装置。
【請求項３】
請求項２に記載の情報処理装置であって、
前記制御手段は、標準速度より遅い速度で出力させる状態として、２のべき乗の値で遅くする状態に設定する
ことを特徴とした情報処理装置。
【請求項４】
請求項１ないし請求項３のいずれかに記載の情報処理装置であって、
前記制御手段は、前記出力手段で出力させる標準速度より遅い速度で出力させる状態に前記処理手段で前記情報を処理させる制御として、前記記憶手段に記憶された情報を前記処理手段へ出力する速度が遅くなる状態に処理する
ことを特徴とした情報処理装置。
【請求項５】
請求項４に記載の情報処理装置であって、
前記記憶手段に記憶される情報量をＢｒ、前記制御手段による制御の指標となる閾値をＢｕ、前記情報取得手段にて前記情報を取得する速度をｖｒ、前記処理手段へ前記情報を出力する速度をｖ０、前記情報を出力手段で出力させる標準速度をｖｓ、最小単位時間をｔとし、
前記制御手段は、Ｂｕ／２ｉ≧Ｂｒ＞Ｂｕ／２ｉ＋１の時に、ｖｒ（ｔ）≧ｖｓ／２ｉ＋１であればｖ０（ｔ＋１）＝ｖｓ／２ｉ＋１とし、ｖｒ（ｔ）≧ｖｓ／２ｉ＋１であればｖ０（ｔ＋１）＝ｖｓ／２ｉ＋２とする条件に基づいて前記処理手段へ前記情報を出力する速度を設定する
ことを特徴とした情報処理装置。
【請求項６】
請求項１ないし請求項５のいずれかに記載の情報処理装置であって、
前記制御手段は、前記情報取得手段にて前記情報を取得させる当初においては、前記記憶手段に前記情報が所定の情報量以上となるまで、前記処理手段で前記情報を処理させる制御を停止する処理をする
ことを特徴とした情報処理装置。
【請求項７】
請求項６に記載の情報処理装置であって、
初期状態情報を記憶する状態記憶手段を具備し、
前記制御手段は、前記情報処理手段にて前記情報を取得する当初では前記初期状態情報に取得当初である旨を設定し、前記記憶手段に前記情報が所定の情報量以上となることを認識することで前記初期状態情報に処理可能状態である旨を設定し、前記処理手段で前記情報を処理させる制御を開始させる制御をする
ことを特徴とした情報処理装置。
【請求項８】
請求項１ないし請求項７のいずれかに記載の情報処理装置であって、
前記情報取得手段は、ネットワークを介して情報を取得する
ことを特徴とした情報処理装置。
【請求項９】
情報を取得して出力可能に順次処理する情報処理方法であって、
取得する情報を一時的に記憶させるとともに、記憶する情報量が所定量以下となると、記憶されている前記情報を出力させる標準速度より遅い速度で出力させる状態に前記情報を記憶した順に順次処理させる
ことを特徴とする情報処理方法。
【請求項１０】
請求項９に記載の情報処理方法を演算手段に実行させる
ことを特徴とした情報処理プログラム。
【請求項１１】
請求項１０に記載の情報処理プログラムが演算手段にて読取可能に記録された
ことを特徴とした情報処理プログラムを記録した記録媒体。
【請求項１２】
請求項１ないし請求項８のいずれかに記載の情報処理装置と、
この情報処理装置にて処理された前記情報を出力させる出力手段と、
を具備したことを特徴とした再生装置。
【発明の詳細な説明】
【０００１】
【発明の属する技術分野】
本発明は、情報の出力を制御する情報処理装置、その方法、そのプログラム、そのプログラムを記録した記録媒体、および、再生装置に関する。
【０００２】
【従来技術】
従来、このような情報の出力を制御する構成として、例えば取得した圧縮データをバッファに順次格納しつつ順次再生させる再生方法が知られている（例えば、特許文献１参照）。
【０００３】
この特許文献１に記載のものは、アンテナにて受信した圧縮データを受信バッファに順次保持し、この受信バッファに所定長の圧縮データが保持されると、デコード部により圧縮データのデコード処理をし、スピーカから再生させる構成が採られている。
【０００４】
【特許文献１】
特開２００３−８６８０号公報（第４頁左欄−第７頁右欄）
【０００５】
【発明が解決しようとする課題】
しかしながら、上記特許文献１などに記載のようなバッファ量が所定量以上とならないと再生が停止する構成では、例えばネットワークを介して圧縮データを取得するような構成において、ネットワーク上のトラフィックの増加などにより通信速度が低下し、受信バッファに保持するデータ量が再生するデータ量より少なくなる場合、デコード処理を停止したり、受信バッファのバッファアンダーフローが生じたりするなどにより、再生が停止してしまう問題が一例として挙げられる。
【０００６】
本発明は、そのような点を一つの課題として捉え、情報を停止させることなく出力させる情報処理装置、その方法、そのプログラム、そのプログラムを記録した記録媒体、および、再生装置を提供することを目的とする。
【０００７】
【課題を解決するための手段】
請求項１に記載の発明は、情報を取得する情報取得手段と、この情報取得手段にて取得した前記情報を一時的に記憶するとともにこの記憶する順番で前記情報を順次出力する記憶手段と、この記憶手段に記憶された前記情報を出力可能に順次処理する処理手段と、この処理手段で前記記憶手段に記憶された情報を出力可能に順次処理させる制御をするとともに、前記記憶手段に記憶された情報量が所定量以下となると、前記記憶されている前記情報を出力手段で出力させる標準速度より遅い速度で出力させる状態に前記処理手段で処理させる制御をする制御手段と、を具備したことを特徴とした情報処理装置である。
【０００８】
請求項９に記載の発明は、情報を取得して出力可能に順次処理する情報処理方法であって、取得する情報を一時的に記憶させるとともに、記憶する情報量が所定量以下となると、記憶されている前記情報を出力させる標準速度より遅い速度で出力させる状態に前記情報を記憶した順に順次処理させることを特徴とする情報処理方法である。
【０００９】
請求項１０に記載の発明は、請求項９に記載の情報処理方法を演算手段に実行させることを特徴とした情報処理プログラムである。
【００１０】
請求項１１に記載の発明は、請求項１０に記載の情報処理プログラムが演算手段にて読取可能に記録されたことを特徴とした情報処理プログラムを記録した記録媒体である。
【００１１】
請求項１２に記載の発明は、請求項１ないし請求項８のいずれかに記載の情報処理装置と、この情報処理装置にて処理された前記情報を出力させる出力手段と、を具備したことを特徴とした再生装置である。
【００１２】
【発明の実施の形態】
以下に、本発明の実施の形態を図面を参照して説明する。なお、この実施の形態では、情報の出力として、例えばネットワークを介して取得したデータを再生させる再生装置について説明するが、この構成に限らず、いずれの方法で取得した情報をいずれの方法で出力させてもよい。
【００１３】
〔第１の実施の形態〕
（再生装置の構成）
データを再生する再生装置の構成を図面に基づいて説明する。図１は、再生装置の情報処理装置の概略構成を示すブロック図である。
【００１４】
再生装置は、例えば図示しないネットワークから取得する情報としてのストリーム映像データやストリーム音声データなどのデータを、例えばこの再生装置に接続された図示しない表示装置などの表示手段にて映像として再生させたり、再生装置１００に接続され図示しないスピーカなどを有した発音手段にて音声として再生させたりする。そして、再生装置１００は、図示しない入力手段と、図示しない出力手段と、情報処理手段１００と、などを備えている。
【００１５】
入力手段は、例えばボタンやつまみなどの利用者が入力操作可能なスイッチを複数有している。そして、入力手段は、情報処理手段１００に接続され、スイッチの入力操作に対応して操作信号を生成し、この生成した操作信号を情報処理手段１００へ適宜出力する。
【００１６】
出力手段は、情報処理手段１００に接続され、情報処理手段１００から出力される再生用データを取得し、適宜出力する。具体的には、上述したように、出力手段として、表示装置などの表示手段を用いる場合には、再生用データを映像として再生させる。また、出力手段がスピーカなどを有した発音手段とした場合には、再生用データを音声として再生させる。
【００１７】
情報処理装置１００は、ネットワークに接続され、ネットワークから取得するデータを適宜処理して出力手段で出力させるための再生用データを生成させる。そして、この情報処理装置は、図１に示すように、情報取得手段としてのネットワーク接続部１１０と、記憶手段としてのデータ受信用バッファ１２０と、処理手段１３０と、図示しない入力手段と、制御手段１４０と、などを備えている。
【００１８】
ネットワーク接続部１１０は、例えば図示しないネットワークに接続され、ネットワークを構成する通信回線からデータを取得する。例えば、ネットワークに接続され映像データや音声データを配信可能に格納するサーバ装置からネットワークを介してネットワークパケット構造のデータを取得する。ここで、ネットワークとしては、例えば、ＴＣＰ／ＩＰなどの汎用のプロトコルに基づくインターネット、イントラネット、ＬＡＮ（Ｌｏｃａｌ  Ａｒｅａ  Ｎｅｔｗｏｒｋ）、無線媒体により情報が送受信可能な複数の基地局がネットワークを構成する通信回線網や放送網などのネットワーク、さらには、データを直接送受信するための媒体となる無線媒体自体などが例示できる。なお、無線媒体としては、電波、光、音波、電磁波などのいずれの媒体をも適用できる。
【００１９】
データ受信用バッファ１２０は、ネットワーク接続部１１０に接続され、ネットワーク接続部１１０で取得したデータを順次一時的に記憶するとともに、この記憶する順番でデータを順次出力する。
【００２０】
処理手段１３０は、データ受信用バッファ１２０に接続され、このデータ受信用バッファ１２０から順次出力されるデータを再生するために順次処理する。そして、処理手段１３０は、ストリームデータ取出部１３１と、デコード用バッファ１３２と、デコーダ１３３と、などを備えている。
【００２１】
ストリームデータ取出部１３１は、データ受信用バッファ１２０に接続され、データ受信用バッファ１２０から順次出力されるネットワークパケット構造のデータから一連の連続したストリームデータであるストリーム映像データやストリーム音声データなどを取り出す。デコード用バッファ１３２は、ストリームデータ取出部１３１に接続され、取り出されたストリームデータを順次一時的に記憶するとともに記憶する順番でデータを順次出力する。デコーダ１３３は、デコード用バッファ１３２に接続され、デコード用バッファ１３２から順次出力されるストリームデータを、所定のタイミング毎にデコード処理、すなわち伸長処理し、再生用データとして適宜出力、例えば出力手段である表示装置などの表示手段に映像データを出力して映像として再生させたり、出力手段であるスピーカなどを有した発音手段に音声データを出力して音声として再生させたりする。
【００２２】
制御手段１４０は、データ受信用バッファ１２０に記憶されるデータ量である受信用バッファ容量が所定量以下か否かを判断して、所定量以下の場合にデータが再生される標準速度より遅い速度で再生させる状態に処理手段１３０によるデータの処理を実行させる制御をする。また、制御手段１４０は、入力手段からの操作信号に基づいて、ネットワーク接続部１１０にてデータを取得させたり、処理手段１３０によるデータの処理状況を設定・変更させたり、音声として再生する状況や映像として再生する状況などを設定・変更させるなど各種設定処理を実施する。具体的には、制御手段１４０は、通信回線監視部１４１と、再生速度制御部１４２と、などを有している。
【００２３】
通信回線監視部１４１は、ネットワーク接続部１１０に接続され、ネットワークにおける送信されるデータの通信速度を検出、すなわちネットワーク接続部１１０で受信するネットワークパケットデータの転送レートｖｒ（ｔ）を常に監視し、再生速度制御部１４２へ出力する。この転送レートｖｒ（ｔ）の監視は、詳細は後述するが、例えば基準パルスなどに基づく最小単位時間毎に計測することで実施される。
【００２４】
再生速度制御部１４２は、通信回路監視部１４１およびデータ受信用バッファ１２０に接続され、通信回線監視部１４１から出力される転送レートｖｒ（ｔ）に基づいて処理手段１３０によるデータの処理を制御する。すなわち、再生速度制御部１４２は、通信回線監視部１４１からの転送レートｖｒ（ｔ）およびデータ受信用バッファ１２０の記憶するデータ量である受信用バッファ容量に基づいて、データの再生速度である再生レートｖ０（ｔ）を設定し、データ受信用バッファ１２０およびデコード用バッファ１３２に対して再生させる再生レートを変更させるとともに、デコーダ１３３のデコード処理のタイミングを変更、すなわち再生速度を変更させる制御をする。
【００２５】
具体的には、データ受信用バッファ１２０における受信用バッファ容量が所定量に対応する所定の閾値よりも大きい値となる場合、データの再生状態が標準速度である等倍速となる通常のデコード処理を実施させる。また、受信用バッファ容量が所定の閾値よりも小さい値となる場合、標準速度よりも遅い速度で再生される状態、すなわちスロー再生される状態でデコード処理を実施させる。この再生される状態が標準速度よりも遅くなる速度は、受信用バッファ容量が少なくなるにしたがって例えば段階的により遅くなるように閾値が設定される。なお、この閾値は、例えば入力手段による入力操作により、変更可能としてもよい。
【００２６】
（制御手段の具体的な制御構成）
次に、制御手段１４０における処理手段１３０の処理状態を制御する構成について図面を参照して詳細に説明する。図２は、受信するデータの転送レートと受信用バッファ量との関係における制御手段の制御状況を示す説明図で、（ａ）は転送レートを示す波形図、（ｂ）は再生レートを示す波形図、（ｃ）は受信用バッファ容量を示す波形図、（ｄ）はデコード用バッファ容量を示す波形図である。なお、（ｄ）におけるＰ１、Ｐ２、…の記載は、例えば１枚の画像データの再生される順番を例示したものである。
【００２７】
制御手段１４０は、上述したように、転送データによる受信用バッファ容量の変動に基づいて処理手段１３０によるデータの処理状態を制御する。具体的には、図２に示すように、受信用バッファ容量に対応して再生するデータの再生速度が変動する状態に処理手段１３０にてデータを処理させるように制御する。
【００２８】
ここで、本来のストリーム映像データやストリーム音声データなどのストリームデータを再生する標準再生速度であるレートを時間によらない一定としたｖｓ［ｂｐｓ］、ネットワークの通信回線を介して受信するネットワークパケットのデータの転送レートをｖｒ（ｔ）［ｂｐｓ］、受信用バッファ容量をＢｒ［ｂｉｔ］、データの再生速度を変動させる指標となる閾値をＢｕ［ｂｉｔ］、データ受信用バッファ１２０から処理手段１３０へデータを転送する再生レートをｖ０（ｔ）［ｂｐｓ］、デコード用バッファ容量をＢｄ［ｂｉｔ］とする。そして、受信用バッファ容量Ｂｒは、ｖｒ（ｔ）−ｖ０（ｔ）の関係から時間的に変化するバッファ量で、標準再生速度においてはｖ０（ｔ）≒ｖｓとなる。なお、ストリームデータは、通信回線を介して受信するネットワークパケット構造のデータからヘッダデータなどが除去された部分であることから、厳密にはｖ０（ｔ）＝ｖｓとはならないが、本実施の形態では、説明の都合上イコールとして説明する。実装においては、ヘッダデータなどを考慮して設定する。
【００２９】
そして、制御手段１４０は、図２に示すように、閾値Ｂｕが複数設定され、各閾値Ｂｕに基づいて再生用データの再生速度が遅くなる状態に処理手段１３０によるデータの処理を実行させるように制御している。これら閾値Ｂｕは、例えばＢｕ＝ｖｓ＊ｔｕにより設定される。この時間ｔｕ［秒］は、任意の時間であるが、２のべき乗の値が好ましい。なお、再生するレートを変更するタイミングは、例えば基準パルスなどに基づく最小単位時間毎であるが、説明の都合上、単位時間を１秒として説明する。
【００３０】
また、受信用バッファ容量Ｂｒとネットワークパケット構造で送信されるデータの転送レートｖｒ（ｔ）との関係から、制御手段１４０の制御による再生用データの再生速度が標準再生速度に対して遅れる条件としては、例えば以下のように設定される。例えば、ある時間ｔ１においてＢｕ≧Ｂｒ＞Ｂｕ／２の場合、転送レートｖｒ（ｔ１）≧ｖｓ／２であればｖ０（ｔ１＋１）＝ｖｓ／２（１／２倍速再生）とし、それ以外の場合ではｖ０（ｔ１＋１）＝ｖｓ／２２＝ｖｓ／４（１／４倍速再生）とする。また、例えばある時間ｔ２において、Ｂｕ／２≧Ｂｒ＞Ｂｕ／４の場合、転送レートｖｒ（ｔ２）≧ｖｓ／４であればｖ０（ｔ２＋１）＝ｖｓ／４（１／４倍速再生）とし、それ以外の場合ではｖ０（ｔ２＋１）＝ｖｓ／２３＝ｖｓ／８（１／８倍速再生）とする。同様に、例えばある時間ｔ３において、Ｂｕ／４≧Ｂｒ＞Ｂｕ／８の場合、転送レートｖｒ（ｔ３）≧ｖｓ／８であればｖ０（ｔ３＋１）＝ｖｓ／８（１／８倍速再生）とし、それ以外の場合ではｖ０（ｔ３＋１）＝ｖｓ／２４＝ｖｓ／１６（１／１６倍速再生）とする。これらのように、同様に繰り返すことで再生速度に関する条件が設定される。そして、これらの条件は、以下の数１に示す条件式で表される。
【００３１】
【数１】
2004354677.tif 000003
【００３２】
そして、例えば図２（ａ）に示すように転送レートｖｒ（ｔ）が変化した場合、制御手段１４０は、図２（ｃ）に示すように受信用バッファ容量が所定の閾値Ｂｕ以下となると、図２（ｂ）に示すように再生レートを標準再生速度である例えばｖ０（ｔ）＝２より遅い速度となるように処理手段１３０を制御、すなわちデコーダ１３３でデコード処理させる速度を遅くさせる制御をする。この制御により、デコード用バッファ容量Ｂｄは図２（ｄ）に示すように変動する。なお、この図２は、転送レートｖｒ（ｔ）が２Ｍｂｐｓで受信用バッファ容量Ｂｒが１０Ｍｂｉｔである場合を例示するが、この状態に限られない。
【００３３】
より具体的には、図２（ａ）に示すようにｔ＝２で転送レートｖｒ（２）が半分の１Ｍｂｐｓに遅くなると、再生レートｖ０（１）はｖ０＝２Ｍｂｐｓであることから、図２（ｃ）に示すように受信用バッファ容量Ｂｒが次第に少なくなり、ｔ＝３ではＢｒ＝８≦Ｂｕ＝８となる。このｔ＝３の時、転送レートｖｒ（３）＝１≧ｖｓ／２＝１から、図２（ｂ）に示すようにｖ０（３＋１）＝ｖｓ／２＝１とするので、制御手段１４０は図２（ｃ）に示すように再生速度が１／２倍速再生に低下する状態に処理手段１３０の処理を制御する。このことにより、図２（ｃ）に示すように、受信用バッファ容量Ｂｒの減少が停止する。
【００３４】
また、ｔ＝６で転送レートｖｒ（６）が０となると、既に再生レートｖ０（６）＝１［Ｍｂｐｓ］であることから、図２（ｃ）に示すように受信用バッファ容量Ｂｒが再び次第に減少し、ｔ＝７ではＢｕ＝８≧Ｂｒ＝６＞Ｂｕ／２＝４となる。このｔ＝７の時、転送レートｖｒ（７）＝０＜ｖｓ／２＝１から、図２（ｂ）に示すようにｖ０（７＋１）＝ｖｓ／４＝０．５とするので、制御手段１４０は図２（ｃ）に示すように再生速度が１／４倍速再生に低下する状態に処理手段１３０の処理を制御する。このことから、図２（ｃ）に示すように、受信用バッファ容量Ｂｒの減少が抑制される。
【００３５】
さらに、ｔ＝１１の時には、転送レートｖｒ（１１）は０のままなので、Ｂｒ＝４≦Ｂｕ／２＝４となる。このｔ＝１１の時、転送レートｖｒ（１１）＝０＜ｖｓ／４から、図２（ｂ）に示すようにｖ０（１１＋１）＝ｖｓ／８＝０．２５とするので、制御手段１４０は図２（ｃ）に示すように再生速度が１／８倍速再生に低下する状態に処理手段１３０の処理を制御する。このことから、図２（ｃ）に示すように、受信用バッファ容量Ｂｒの減少がさらに抑制される。
【００３６】
また、ｔ＝１３で転送レートｖｒ（１３）が１／４Ｍｂｐｓに回復すると、転送レートｖｒ（１３）＝ｖｓ／８で、再生レートｖ０（１３）＝ｖｓ／８であることから、ｔ＝１５で転送レートｖｒ（１５）がさらに回復するまでは受信用バッファ容量Ｂｒは変動しない。そして、ｔ＝１５で転送レートｖｒ（１５）が回復して次第に受信用バッファ容量Ｂｒが増大し、ｔ＝１５ではＢｕ／２＝４≧Ｂｒ＝４＞Ｂｕ／４＝２となる。このｔ＝１５の時、転送レートｖｒ（１５）＝０．５≧ｖｓ／４から、図２（ｂ）に示すようにｖ０（１５＋１）＝ｖｓ／４とするので、制御手段１４０は図２（ｃ）に示すように再生速度が１／４倍速再生に増加する状態に処理手段１３０の処理を制御する。
【００３７】
さらに、転送レートｖｒが回復し、ｔ＝２１で転送レートｖｒ（２１）＝１≧ｖｓ／２＝１に回復すると、Ｂｕ＝８≧Ｂｒ＝６＞Ｂｕ／２＝４となる。このｔ＝２１の時、転送レートｖｒ（２１）＝１≧ｖｓ／２＝１から、図２（ｂ）に示すように、ｖ０（２１＋１）＝ｖｓ／２とするので、制御手段１４０は図２（ｃ）に示すように再生速度が１／２倍速再生に増加する状態に処理手段１３０の処理を制御する。
【００３８】
そして、さらに転送レートｖｒが回復し、ｔ＝２７で転送レートｖｒ（２７）＝２≧ｖｓ＝２に回復すると、Ｂｒ＝８．５≧Ｂｕ＝８となる。このｔ＝２７で転送レートｖｒ（２７）＝ｖｓ＝２から、図２（ｂ）に示すように、ｖ０（２１＋７）＝ｖｓとするので、制御手段１４０は図２（ｃ）に示すように再生速度が標準再生速度に増加する状態に処理手段１３０の処理を制御する。
【００３９】
（再生装置の再生動作）
次に、上記再生装置における再生動作について図面を参照して説明する。図３は、再生動作を示すフローチャートである。図４は、再生動作時の再生レートを決定する処理動作を示すフローチャートである。
【００４０】
まず、利用者は、例えば図示しない電源を投入して再生装置１００に電力を供給させ、入力手段の所定の入力操作により、制御手段１４０が入力操作に対応した操作信号を認識し、ネットワーク接続部１１０により所定の通信回線を選択して所望の映像データや音声データなどを受信させる（ステップＳ１）。例えば、再生装置１００に接続する表示装置にウエッブブラウザによる画面表示で表示される表示画面中の所定のアイコンを入力手段にて選択実行させ、アイコンに対応するデータを取得させる。
【００４１】
そして、制御手段１４０は、通信回線監視部１４１により、ネットワーク接続部１１０で受信するデータの転送レートｖｒ（ｔ）を計測させ、再生速度制御部１４２に転送レートｖｒ（ｔ）を出力させる（ステップＳ２）。また、制御手段１４０は、ネットワーク接続部１１０で取得したデータを、データ受信用バッファ１２０へ順次出力させて一時的に記憶させて格納する（ステップＳ３）。この後、制御手段１４０は、再生速度制御部１４２により、上述したように、通信回線監視部１４１で計測した転送レートｖｒ（ｔ）と、受信用バッファ容量Ｂｒとに基づいて、データの再生レートｖ０（ｔ）を演算し決定する図４に示す設定処理に移行する（ステップＳ４）。
【００４２】
このデータの再生レートｖ０（ｔ）の設定処理は、図４に示すように、再生速度制御部１４２は、まず、受信用バッファ容量Ｂｒ＞閾値Ｂｕか否かを判断する（ステップＳ４０１）。そして、受信用バッファ容量Ｂｒ＞閾値Ｂｕであれば、データ受信用バッファ１２０にデータが十分に格納されていると判断し、ｖ０（ｔ＋１）をｖｓと設定し、そのままの標準再生速度となるようにし（ステップＳ４０２）、設定処理を終了する。
【００４３】
また、ステップＳ４０１で受信用バッファ容量Ｂｒ＞閾値Ｂｕではない、すなわち受信用バッファ容量Ｂｒ≦閾値Ｂｕであると判断した場合には、受信用バッファ容量Ｂｒ＝０か否かを判断する（ステップＳ４０３）。そして、再生速度制御部１４２は、受信用バッファ容量Ｂｒ＝０、すなわちデータ受信用バッファ１２０にデータが格納されていないと判断した場合、ｖ０（ｔ＋１）を０と設定し、再生が停止する状態となるようにし（ステップＳ４０４）、設定処理を終了する。この受信用バッファ容量Ｂｒ＝０となる状態としては、例えば通信回線の接続が長期間切断している、あるいは、通信回線は接続しているが転送レートｖｒ（ｔ）が０の状態が長期間接続して実質的に再生させるデータ量がゼロの状態、データ受信用バッファ１２０などの各構成部材の損傷などが例示できる。この場合には、通信状態が正常ではない、すなわちデータを取得する状態ではないので再生を停止させる処理をする。なお、この再生を停止させる処理の際、制御手段１４０は接続された表示手段に通信障害が生じた旨の表示をさせたり、発音手段にて音声により通信障害が生じた旨を発音させたりするなど、異常が生じた旨を報知させる処理をするとよい。
【００４４】
また、ステップＳ４０３において、再生速度制御部１４２は、受信用バッファ容量Ｂｒ＝０ではない、すなわちデータ受信用バッファ１２０にデータが格納されていると判断した場合、上述した数１に示す条件式にｉ＝０を設定する（ステップＳ４０５）。この後、再生速度制御部１４２は、条件式に基づいて、受信用バッファ容量ＢｒがＢｕ／２ｉ≧Ｂｒ＞Ｂｕ／２ｉ＋１か否かを判断する（ステップＳ４０６）。
【００４５】
そして、再生速度制御部１４２は、Ｂｕ／２ｉ≧Ｂｒ＞Ｂｕ／２ｉ＋１ではないと判断した場合には、上述した数１に示す条件式のｉに１を加算、すなわちｉ＝ｉ＋１を設定し（ステップＳ４０７）、ステップＳ４０６に戻り、処理を繰り返す。すなわち、受信用バッファ容量Ｂｒがいずれの閾値Ｂｕの範囲にあるかを判断する。
【００４６】
また、ステップＳ４０６において、再生速度制御部１４２は、Ｂｕ／２ｉ≧Ｂｒ＞Ｂｕ／２ｉ＋１であると判断した場合、上述した数１に示す条件式に基づいて、ｖｒ（ｔ）≧ｖｓ／２ｉ＋１か否かを判断する（ステップＳ４０８）。そして、再生速度制御部１４２は、ｖｒ（ｔ）≧ｖｓ／２ｉ＋１であると判断した場合には、上述した数１に示す条件式に基づいて、再生レートｖ０を次の最小単位時間からｖｓ／２ｉ＋１と設定、すなわちｖ０（ｔ＋１）＝ｖｓ／２ｉ＋１と設定し（ステップＳ４０９）、再生レートの設定処理を終了する。また、ステップＳ４０８において、再生速度制御部１４２は、ｖｒ（ｔ）≧ｖｓ／２ｉ＋１でないと判断した場合には、上述した数１に示す条件式に基づいて、再生レートｖ０を次の最小単位時間からｖｓ／２ｉ＋２と設定、すなわちｖ０（ｔ＋１）＝ｖｓ／２ｉ＋２と設定し（ステップＳ４１０）、再生レートｖ０の設定処理を終了する。
【００４７】
そして、上述した図４のフローチャートに示すステップＳ４における再生レートｖ０（ｔ＋１）の設定処理の後、再生速度制御部１４２は、ステップＳ４で決定した再生レートｖ０（ｔ＋１）でデータ受信用バッファ１２０に格納するデータを処理手段１３０のストリームデータ取出部１３１に、ネットワーク接続部１１０から取得した順に出力させる（ステップＳ５）。この後、ストリームデータ取出部１３１は、データ受信用バッファ１２０から順次出力されるネットワークパケット構造のデータから一連の連続したデータであるストリーム映像データやストリーム音声データなどを取り出す（ステップＳ６）。さらに、処理手段１３０は、ストリームデータ取出部１３１で取り出したストリームデータをデコード用バッファ１３２に順次出力させて記憶させ格納させる（ステップＳ７）。
【００４８】
この後、制御手段１４０の再生速度制御部１４２は、デコード用バッファ１３２の格納するデータ量を認識し、デコードに必要なデータが溜まったか否かを判断する（ステップＳ８）。そして、再生速度制御部１４２は、デコード用バッファ１３２のデータ量が所定のデータ量に達していないと判断すると、ステップＳ１に戻ってさらにデータを取得する動作を繰り返す。また、ステップＳ８において、再生速度制御部１４２は、デコードに必要なデータ量となったことを認識すると、デコード用バッファ１３２に格納するストリームデータをデコーダ１３３に出力させ、デコーダ１３３でデコード処理する。この後、出力手段へ再生用データとして出力させて再生、例えば表示手段に映像データを出力して映像として再生させたり、発音手段のスピーカに音声データを出力して音声として再生させたりするなどし（ステップＳ９）、ステップＳ１に戻って順次データを取得する。
【００４９】
そして、制御手段１４０の通信回線制御部１４１が一連のデータの取得を完了したことを認識すると、制御手段１４０は、受信用バッファ容量Ｂｒの残量に係わらず、再生レートｖ０を上述したように例えば２Ｍｂｐｓとなる状態に設定して標準再生速度でデータが再生される状態とし、処理手段１３０で順次データを処理して再生させ、データを再生させる処理を終了する。なお、一連のデータの取得完了の認識は、別途設けた構成により判断するなど、いずれの方法でもできる。
【００５０】
（第１の実施の形態の作用効果）
上述したように、上記実施の形態では、制御手段１４０により、ネットワークを介してネットワーク接続部１１０にて受信したデータをデータ受信用バッファ１２０に一時的に順次記憶させるとともにデータを再生可能に順次処理する処理手段１３０で処理させる制御、すなわち処理手段１３０へ出力させる際、データ受信用バッファ１２０における受信用バッファ容量Ｂｒが所定量以下、すなわち閾値Ｂｕ以下となると、処理手段１３０から再生用データとして出力させて出力手段で再生させる標準再生速度より遅い再生速度で出力される状態に適宜遅い再生レートで出力させる。このため、例えばネットワークを介してデータを取得する際の通信状態などにより、通信速度である転送レートｖｒが遅くなって、図２（ｃ）中の点線で示すように受信用バッファ容量Ｂｒがゼロとなってアンダーフローを生じ、図２（ｂ）中の点線で示すようにデコード処理を中止させ、図２（ｄ）中の点線で示すようにある程度の受信用バッファ容量となるまで再生が停止してしまうことを防止できる。したがって、利用者は、再生がむやみに中断することなく、通信状態が良好でなくても絶え間なく再生されるデータを認識することができ、利用時の違和感を低減でき、使い勝手を向上できる。特に、通信速度が常時変動するインターネットなどのネットワークを介してデータを取得して再生させる場合に有効である。
【００５１】
そして、制御手段１４０は、受信用バッファ容量Ｂｒが少なくなるにしたがって、再生速度も遅くなる状態に処理手段１３０で処理させる制御、すなわち処理手段１３０へ出力させる速度を設定する。このため、ネットワークからのデータの取得状況に応じて変動する受信用バッファ容量Ｂｒの残量に対応した制御が得られ、確実にアンダーフローを防止でき、良好なデータの再生ができる。
【００５２】
また、再生レートｖ０を遅くする状況として、２のべき乗の値で遅くする状態に設定しているので、条件式を用いて受信用バッファ容量Ｂｒに基づいてデータを処理することが容易にでき、通信状況に応じて変動する受信用バッファ容量Ｂｒの残量に対応した制御が比較的に簡単な条件式を用いて容易にでき、構成の簡略化および製造性の向上を容易に図ることができる。
【００５３】
さらに、制御手段１４０により標準再生速度より遅い再生速度となる状態に処理手段１３０でデータを処理させる制御として、データ受信用バッファ１２０から処理手段１３０へ出力させる再生レートｖ０を設定する構成としている。このため、既存の処理手段１３０の構成をそのまま利用でき、処理手段１３０の処理状況を制御する制御手段１４０にデータ受信用バッファ１２０からデータを出力させる処理を制御させる再生速度制御部１４２を設ければよく、アンダーフローを生じず絶え間なく再生できる構成を容易に得ることができる。
【００５４】
そして、制御手段１４０による再生レートｖ０を設定する制御として、数１に示す条件式に基づいて再生レートｖ０を設定している。このため、受信用バッファ容量Ｂｒを簡単な条件式で場合分けにより認識することで再生レートｖ０を設定するので、再生レートｖ０を設定するための演算が容易にでき、円滑な再生レートｖ０の設定およびデータの処理が得られ、円滑な再生が得られる。
【００５５】
また、受信用バッファ容量Ｂｒが０となるアンダーフローを生じる場合には、通信状態が異常であると判断して再生を停止させる処理をする。このため、再生の停止により、通信状態の異常を利用者に報知することができ、利用者が通信状態の改善や通信状態が改善した後に再びデータを取得させて再生させる処理を実施させる動作に直ちに移行でき、使い勝手をより向上できる。そして、この再生の停止の場合に、その旨を表示させるなどにより報知する処理を実施することで、より利用者が通信状態の異常を容易に認識でき、より対応性が向上し、使い勝手を向上できる。
【００５６】
さらに、一連のデータを取得したことを認識した場合には、通常の標準再生速度で再生される状態に再生レートｖ０を設定して処理させるため、データの終了直前で再生速度がだんだん遅くなることを防止でき、より良好なデータの再生が得られ、より使い勝手を向上できる。
【００５７】
〔第２の実施の形態〕
次に、本発明における第２の実施の形態に掛かる再生装置について図５および図６を参照して説明する。図５は、第２の実施の形態における再生動作を示すフローチャートである。図６は、受信するデータの転送レートと受信用バッファ量との関係における制御手段の制御状況を示す説明図で、（ａ）は転送レートを示す波形図、（ｂ）は再生レートを示す波形図、（ｃ）は受信用バッファ容量を示す波形図、（ｄ）はデコード用バッファ容量を示す波形図である。なお、第１の実施の形態と同一の構成については同一の符号を付して、説明を省略する。この図５および図６に示す第２の実施の形態では、上述した図１ないし図４に示す第１の実施の形態における再生処理において、データを取得する当初における制御手段１４０の処理動作が所定の受信用バッファ容量Ｂｒとなってから実施する構成である。
【００５８】
すなわち、利用者による入力手段の処理の入力操作を制御手段１４０が認識すると（ステップＳ１１）、制御手段１４０の例えば状態記憶手段としての内蔵メモリに格納される初期状態情報である初期状態フラッグ情報（ｆｌａｇ＃ｓｔａｒｔｅｄ）に初期値であるゼロを設定する。すなわち、データの再生処理のためにネットワーク接続部１１０でデータを取得させる取得当初である旨のゼロを初期状態フラッグ情報に設定する。
【００５９】
この後、上述した第１の実施の形態と同様に、ネットワーク接続部１１０により所定の通信回線を選択して所望のデータを受信させ（ステップＳ１３）、通信回線監視部１４１にて転送レートｖｒ（ｔ）を計測させ、再生速度制御部１４２に転送レートｖｒ（ｔ）を出力させる（ステップＳ１４）。そして、制御手段１４０は、ネットワーク接続部１１０で取得したデータを、データ受信用バッファ１２０へ順次出力させて一時的に記憶させて格納する（ステップＳ１５）。この後、制御手段１４０は、初期状態フラッグ情報が１（ｆｌａｇ＃ｓｔａｒｔｅｄ＝１）、すなわちネットワークからデータを受信して受信用バッファ容量Ｂｒが所定量Ｂｓ以上に達して処理可能状態である旨が設定されているか否かを判断する（ステップＳ１６）。
【００６０】
そして、ステップＳ１６において、再生速度制御部１４２は、初期状態フラッグ情報が１ではない、すなわち受信用バッファ容量Ｂｒが所定量Ｂｓ以上に１度も達していない受信初期状態であると判断し、受信用バッファ容量Ｂｒが閾値Ｂｓ以上に達した（Ｂｒ≧Ｂｓ）か否かを判断する（ステップＳ１７）。このステップＳ１７で、再生速度制御部１４２は、まだ受信用バッファ容量Ｂｒが閾値Ｂｓ以上になっていないと判断すると、再生に必要なデータがまだ取得できていないと判断し、ステップＳ１３に戻ってさらにデータを受信する動作を繰り返す。
【００６１】
また、ステップＳ１７で、再生速度制御部１４２は、図６（ｃ）に示すように、受信用バッファ容量Ｂｒが閾値Ｂｓ以上に達したと判断すると（図６（ｃ）中のＢｓ＝２）、データを再生できる状態となったと判断し、初期状態フラッグ情報に１を設定して処理可能状態（ｆｌａｇ＃ｓｔａｒｔｅｄ＝１）とする（ステップＳ１８）。
【００６２】
この後、制御手段１４０は、再生速度制御部１４２により、上述したように、通信回線監視部１４１で計測した転送レートｖｒ（ｔ）と、受信用バッファ容量Ｂｒとに基づいて、データの再生レートｖ０（ｔ）を演算し決定する、上述した第１の実施の形態の図４に示す設定処理に移行する（ステップＳ１９）。この再生レートｖ０の設定は、上述した第１の実施の形態と同様に、数１の条件式に基づいて演算される。具体的には、図６に示すように、受信用バッファ容量Ｂｒが閾値Ｂｓ＝２に達しているので、図６（ｄ）に示すように、１／４倍速で再生する状態であるｖ０（４＋１）＝ｖｓ／４と設定する。
【００６３】
そして、このステップＳ１９における再生レートｖ０（ｔ）の設定処理の後、再生速度制御部１４２は、再生レートｖ０（ｔ）でデータ受信用バッファ１２０に格納するデータを処理手段１３０のストリームデータ取得部１３１に、ネットワーク接続部１１０から取得した順に出力させる（ステップＳ２０）。この後、ストリームデータ取得部１３１でデータ受信用バッファ１２０から順次取得するデータから一連のストリームデータを取り出し（ステップＳ２１）、デコード用バッファ１３２に順次ストリームデータを出力させる（ステップＳ２２）。
【００６４】
このストリームデータの処理手段１３０への出力により、例えば図６（ｃ）に示すように所定の閾値Ｂｓ＝２を下回っても、初期状態フラッグ情報は既に１が設定されているので、制御手段１４０は受信用バッファ容量Ｂｒが再び閾値Ｂｓ＝２以上となるまで再生を停止させる処理は実施せず、第１の実施の形態の動作と同様に、図６（ｄ）に示すようにさらに遅い速度で再生される状態、すなわち１／８倍速で再生する状態であるｖ０（８＋１）＝ｖｓ／８と設定して再生を継続させる。
【００６５】
そして、制御手段１４０の再生速度制御部１４２は、デコード用バッファ１３２に格納したデータ量を認識し、デコードに必要なデータが溜まったか否かを判断し（ステップＳ２３）、まだデコード処理に必要なデータ量に達していない場合にはステップＳ１３に戻ってデータの取得動作を繰り返す。また、ステップＳ２３において、再生速度制御部１４２は、デコードに必要なデータ量となったことを認識すると、デコード用バッファ１３２に格納するストリームデータをデコーダ１３３に出力させ、デコーダ１３３でデコード処理し、出力手段へ再生用データとして出力させて再生処理し（ステップＳ２４）、再びステップＳ１３に戻って順次データを取得する。
【００６６】
このようにして通信回線制御部１４１が一連のデータの取得を完了したことを認識すると、制御手段１４０は、受信用バッファ容量Ｂｒの残量に係わらず、再生レートｖ０を上述したように例えば２Ｍｂｐｓとなる状態に設定して標準再生速度でデータが再生される状態とし、処理手段１３０で順次データを処理して再生させ、データを再生させる処理を終了する。なお、この第２の実施の形態においても、第１の実施の形態と同様に、一連のデータの取得完了の認識は、いずれの方法を利用してもよい。
【００６７】
（第２の実施の形態の作用効果）
上述したように、ネットワーク接続部１１０にてデータを取得する当初において、データ受信用バッファ１２０にデータが所定量、すなわち受信用バッファ容量Ｂｒが所定の閾値Ｂｓ（例えばＢｓ＝２）以上となるまでは、処理手段１３０でデータを処理させる制御を停止、例えばデータ受信用バッファ１２０から処理手段１３０へのデータの出力を停止させる制御をする。このため、上述した第１の実施の形態と同様に処理することで、第１の実施の形態の効果に加え、図６（ｃ）中の点線で示すように受信用バッファ容量Ｂｒが所定量となってから、図６（ｄ）中の点線で示すように標準再生速度で再生させる従来のような構成に比して、早い時期にデータの再生ができ、再生までの待ち時間を短縮でき、より使い勝手を向上できる。
【００６８】
さらに、第１の実施の形態のように、閾値Ｂｕとの関係で再生レートｖ０を設定するのみの場合では、受信当初から再生するための処理が実施される場合に比して、ある程度のデータが蓄積された状態で処理を開始するので、再生当初において、再生レートｖ０（ｔ＋１）＝ｖｓ／２ｉ＋１、ｖ０（ｔ＋１）＝ｖｓ／２ｉ＋２における分母の値が大きくなって実質的に静止画像が表示されるのと同様となるとともに、標準再生速度となるまでに受信用バッファ容量Ｂｒが所定量以上である例えば閾値Ｂｕ＝８以上となるまでの時間が掛かってしまうことを防止でき、より使い勝手を向上できる。
【００６９】
そして、受信当初における所定の受信用バッファ容量Ｂｒとなるまでの処理手段１３０へのデータの出力停止と、所定の受信用バッファ容量Ｂｒに達した以降における第１の実施の形態と同様の再生レートｖ０の設定とを、初期状態フラッグ情報を設けて「０」あるいは「１」を設定することで処理の場合分けをしている。このため、簡単な構成で適切な再生状態が容易に得られる。
【００７０】
〔実施形態の変形〕
なお、本発明は、上述した各実施の形態に限定されるものではなく、本発明の目的を達成できる範囲で以下に示される変形をも含むものである。
【００７１】
すなわち、上述した各実施の形態では、例えばインターネットなどからデータを取得して再生させる構成に限らず、例えば衛星放送における衛星からのデータを再生する構成の他、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｃ）、ハードディスク、メモリなどの記録媒体からデータを取得、すなわち読み取って再生する構成などにも利用することができる。
【００７２】
そして、データとしてストリーム映像データやストリーム音声データを取り出して再生させる再生装置について説明したが、処理するデータとしては文字データやプログラムなど、他のいずれの情報をも対象とすることができる。
【００７３】
また、制御手段１４０による標準再生速度より遅い速度で再生させる状態にデータを処理手段１３０にて処理させる制御として、データ受信用バッファ１２０から処理手段１３０へ出力する際の再生レートｖ０を適宜変更設定する制御で説明したが、例えば処理手段１３０へは順次出力させ、処理手段１３０でストリームデータを取り出す際の取り出し速度、デコード用バッファからデコーダへ出力させる速度、デコード処理する際の処理速度、再生用データとして出力手段へ出力する際の速度などを適宜変更設定するなど、最終的に再生する速度が変動する状態に制御するいずれの方法でもできる。
【００７４】
さらに、本発明の記憶手段としてデータ受信用バッファ１２０の構成で説明したが、バッファ構造に限らず、ハードディスクなどの記録媒体に一時的に記録させるなど、一時的に記憶して順次出力するいずれの構成とすることができる。
【００７５】
そして、本発明の処理手段として、上述した処理手段１３０の構成に限らず、処理する情報に対応した構成であれば、いずれの構成としてもよい。同様に、本発明の制御手段についても、制御手段１４０の構成に限られない。
【００７６】
また、閾値Ｂｕを設定して受信用バッファ容量Ｂｒに対応して段階的に再生レートｖ０が遅くなる状態に設定したが、連続的に遅くなるようにするなどしてもよい。さらに、遅くする状態として２のべき乗の値に限らず、適宜設定できる。そしてさらには、遅い速度となる状態の制御として、数１の条件式を用いることに限らず、いずれの方法で制御してもよい。また、複数の閾値Ｂｕを設けて再生レートｖ０を制御するなどしてもよい。
【００７７】
そして、演算手段としてのコンピュータに読み取り可能なプログラムとし、コンピュータに装着された記録媒体に記録された情報を上述した出力可能に処理させるようにコンピュータを動作させるなど、いずれの装置形態でも適用できる。そして、本発明における演算手段としては、例えば１つのパーソナルコンピュータ、複数のコンピュータをネットワーク状に組み合わせた構成、マイクロコンピュータなどの素子、あるいは複数の電子部品が搭載された回路基板などをも含む。
【００７８】
一方、第２の実施の形態において、内蔵メモリに初期状態フラッグ情報を設定する構成としたが、情報の取得当初か、データ受信用バッファ１２０における所定量以上のデータ量となった処理可能状態かを識別できるいずれの方法としてもよく、内蔵メモリを用いる構成に限られるものでもない。
【００７９】
本発明は、上述した一実施の形態および実施形態の変形のみに限ることなく、その他、本発明の目的を逸脱しない範囲で様々な応用が可能である。
【００８０】
〔実施の形態の作用効果〕
上述したように、制御手段１４０により、ネットワーク接続部１１０にて受信したデータをデータ受信用バッファ１２０に一時的に順次記憶させるとともに、データ受信用バッファ１２０における受信用バッファ容量Ｂｒが所定量以下となると、処理手段１３０から再生用データとして出力させて出力手段で再生させる標準再生速度より遅い再生速度で出力される状態に遅い再生レートで処理手段１３０へ出力させる。このため、例えばデータを取得する際の単位時間当たりのデータ取得量が少なくなってバッファのアンダーフローを生じて再生が停止してしまうことを防止でき、再生がむやみに中断することなく絶え間なく再生されるデータを認識することができ、利用時の違和感を低減でき、使い勝手を向上できる。
【図面の簡単な説明】
【図１】本発明の第１の実施の形態に係る再生装置の情報処理装置の概略構成を示すブロック図である。
【図２】前記第１の実施の形態における受信するデータの転送レートと受信用バッファ量との関係における制御手段の制御状況を示す説明図である。
（ａ）：転送レートを示す波形図
（ｂ）：再生レートを示す波形図
（ｃ）：受信用バッファ容量を示す波形図
（ｄ）：デコード用バッファ容量を示す波形図
【図３】前記第１の実施の形態における再生動作を示すフローチャートである。
【図４】前記第１の実施の形態における再生動作時の再生レートを決定する処理動作を示すフローチャートである。
【図５】本発明の第２の実施の形態に係る再生装置における再生動作を示すフローチャートである。
【図６】前記第２の実施の形態における受信するデータの転送レートと受信用バッファ量との関係における制御手段の制御状況を示す説明図である。
（ａ）：転送レートを示す波形図
（ｂ）：再生レートを示す波形図
（ｃ）：受信用バッファ容量を示す波形図
（ｄ）：デコード用バッファ容量を示す波形図
【符号の説明】
１００    情報処理装置
１１０    情報取得手段としてのネットワーク接続部
１２０    記憶手段としてのデータ受信用バッファ
１３０    処理手段
１４０    制御手段
【図１】
2004354677.tif 000004
【図２】
2004354677.tif 000005
【図３】
2004354677.tif 000006
【図４】
2004354677.tif 000007
【図５】
2004354677.tif 000008
【図６】
2004354677.tif 000009